(57)【要約】【課題】適切に省電力化を図ることができる給紙装置を提供する。【解決手段】給紙装置４１は、記憶制御部５１と、電力供給制御部５２とを備える。記憶制御部５１は、リフトアップ検知センサーによりリフト板が上昇位置にあることが検知されれば、用紙枚数検知センサーに電力を供給してリフト板上に載置された用紙の枚数を検知し、検知された用紙の枚数のデータを記憶部に記憶させるよう制御する。電力供給制御部５２は、記憶制御部５１により用紙の枚数のデータが記憶部に記憶されれば、用紙枚数検知センサーへの電力の供給を停止するよう制御する。【選択図】図５
2017149571.tif 000002
【特許請求の範囲】
【請求項１】
用紙を供給する給紙装置であって、
データを記憶する記憶部と、
前記用紙をその内部に収容する給紙カセットと、
前記給紙カセットが着脱可能な本体部と、
前記給紙カセットの内部に設けられており、昇降可能であって、用紙を載置するリフト板と、
電力の供給により、前記リフト板上に載置された用紙の枚数を検知する用紙枚数検知部と、
前記リフト板が前記用紙を供給可能な上昇位置にあるか否かを検知するリフトアップ検知部と、
前記リフトアップ検知部により前記リフト板が前記上昇位置にあることが検知されれば、前記用紙枚数検知部に電力を供給して前記リフト板上に載置された用紙の枚数を検知し、検知された前記用紙の枚数のデータを前記記憶部に記憶させるよう制御する記憶制御部と、
前記記憶制御部により前記用紙の枚数のデータが前記記憶部に記憶されれば、前記用紙枚数検知部への電力の供給を停止するよう制御する電力供給制御部とを備える、給紙装置。
【請求項２】
前記給紙カセットの前記本体部への着脱を検知する給紙カセット着脱検知部と、
前記給紙カセット着脱検知部により前記本体部へ前記給紙カセットが着脱されたことが検知されれば、前記記憶部に記憶された前記用紙の枚数のデータをリセットするよう制御する記憶リセット制御部とをさらに備える、請求項１に記載の給紙装置。
【請求項３】
前記記憶リセット制御部は、前記給紙カセット内の用紙の枚数が減少するジョブが開始されたことを検知すれば、前記記憶部に記憶された前記用紙の枚数のデータをリセットするよう制御する、請求項２に記載の給紙装置。
【請求項４】
前記リフトアップ検知部により前記リフト板が前記上昇位置にあることが検知される前に、前記用紙枚数検知部により前記用紙の枚数が検知されれば、前記リフトアップ検知部の異常を報知する報知部をさらに備える、請求項１〜３のいずれか１項に記載の給紙装置。
【請求項５】
前記用紙枚数検知部は、前記リフト板の上昇位置に応じて、前記用紙の枚数を検知する、請求項１〜４のいずれか１項に記載の給紙装置。
【請求項６】
用紙を供給する給紙装置と、前記給紙装置によって供給された前記用紙に画像を形成する画像形成部とを含む画像形成装置であって、
前記給紙装置は、
データを記憶する記憶部と、
前記用紙をその内部に収容する給紙カセットと、
前記給紙カセットが着脱可能な本体部と、
前記給紙カセットの内部に設けられており、昇降可能であって、用紙を載置するリフト板と、
電力の供給により、前記リフト板上に載置された用紙の枚数を検知する用紙枚数検知部と、
前記リフト板が前記用紙を供給可能な上昇位置にあるか否かを検知するリフトアップ検知部と、
前記リフトアップ検知部により前記リフト板が前記上昇位置にあることが検知されれば、前記用紙枚数検知部に電力を供給して前記リフト板上に載置された用紙の枚数を検知し、検知された前記用紙の枚数のデータを前記記憶部に記憶させるよう制御する記憶制御部と、
前記記憶制御部により前記用紙の枚数のデータが前記記憶部に記憶されれば、前記用紙枚数検知部への電力の供給を停止するよう制御する電力供給制御部とを備える、画像形成装置。
【発明の詳細な説明】
【技術分野】
【０００１】
この発明は、給紙装置、および画像形成装置に関するものである。
【背景技術】
【０００２】
複合機等に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電した現像剤を供給して可視画像とした後、用紙に転写して定着させ、装置外に排出する。
【０００３】
ここで、画像形成装置において、用紙を供給する給紙に関する技術が、特開２００１−３１３１４号公報（特許文献１）、特開２００５−２５０６６号公報（特許文献２）、および特開２０１２−９１９１７号公報（特許文献３）に開示されている。
【先行技術文献】
【特許文献】
【０００４】
【特許文献１】特開２００１−３１３１４号公報
【特許文献２】特開２００５−２５０６６号公報
【特許文献３】特開２０１２−９１９１７号公報
【発明の概要】
【発明が解決しようとする課題】
【０００５】
画像形成装置には、用紙を給紙する給紙装置が設けられている。給紙装置は、給紙カセット内に収容された複数の用紙をリフトアップして、画像を形成する画像形成部等に順次搬送して供給する。
【０００６】
ここで、給紙装置には、用紙の枚数を検知する用紙枚数検知センサー、および用紙を載置するリフト板のリフトアップを検知するリフトアップ検知センサーが設けられている。これらのセンサーはそれぞれ、用紙の枚数、およびリフト板のリフトアップの状態を検知する。
【０００７】
これら二つのセンサーについては、常時電力が供給されている。しかし、省電力化の観点から、このような状況は好ましくない。すなわち、例えば、画像が形成されず、用紙の枚数の減少がない状況であるにも関わらず、用紙の枚数を検知する用紙枚数検知センサーに電力を供給している場合が生ずることになる。上記した特許文献１〜特許文献３に開示の技術では、このような状況に対応することが困難である。
【０００８】
この発明の目的は、適切に省電力化を図ることができる給紙装置を提供することである。
【０００９】
この発明の他の目的は、適切に省電力化を図ることができる画像形成装置を提供することである。
【課題を解決するための手段】
【００１０】
この発明の一の局面においては、給紙装置は、記憶部と、給紙カセットと、本体部と、リフト板と、用紙枚数検知部と、リフトアップ検知部と、記憶制御部と、電力供給制御部とを備える。記憶部は、データを記憶する。給紙カセットは、用紙をその内部に収容する。本体部には、給紙カセットが着脱可能である。リフト板は、給紙カセットの内部に設けられている。リフト板は、昇降可能であって、用紙を載置する。用紙枚数検知部は、電力の供給により、リフト板上に載置された用紙の枚数を検知する。リフトアップ検知部は、リフト板が用紙を供給可能な上昇位置にあるか否かを検知する。記憶制御部は、リフトアップ検知部によりリフト板が上昇位置にあることが検知されれば、用紙枚数検知部に電力を供給してリフト板上に載置された用紙の枚数を検知し、検知された用紙の枚数のデータを記憶部に記憶させるよう制御する。電力供給制御部は、記憶制御部により用紙の枚数のデータが記憶部に記憶されれば、用紙枚数検知部への電力の供給を停止するよう制御する。
【００１１】
この発明の他の局面においては、画像形成装置は、給紙装置と、画像形成部とを含む。給紙装置は、用紙を供給する。画像形成部は、給紙装置によって供給された用紙に画像を形成する。給紙装置は、記憶部と、給紙カセットと、本体部と、リフト板と、用紙枚数検知部と、リフトアップ検知部と、記憶制御部と、電力供給制御部とを備える。記憶部は、データを記憶する。給紙カセットは、用紙をその内部に収容する。本体部には、給紙カセットが着脱可能である。リフト板は、給紙カセットの内部に設けられている。リフト板は、昇降可能であって、用紙を載置する。用紙枚数検知部は、電力の供給により、リフト板上に載置された用紙の枚数を検知する。リフトアップ検知部は、リフト板が用紙を供給可能な上昇位置にあるか否かを検知する。記憶制御部は、リフトアップ検知部によりリフト板が上昇位置にあることが検知されれば、用紙枚数検知部に電力を供給してリフト板上に載置された用紙の枚数を検知し、検知された用紙の枚数のデータを記憶部に記憶させるよう制御する。電力供給制御部は、記憶制御部により用紙の枚数のデータが記憶部に記憶されれば、用紙枚数検知部への電力の供給を停止するよう制御する。
【発明の効果】
【００１２】
このような給紙装置によると、用紙の枚数が検知された後、記憶部に用紙の枚数のデータが記憶されるため、用紙枚数検知部への電力の供給を停止することができる。そうすると、用紙の枚数が減少しない状況において、用紙枚数検知部へ供給する電力の節減を図ることができる。この場合、記憶部に用紙の枚数が記憶されているため、記憶部により記憶された用紙の枚数のデータから、用紙の枚数のデータを取得することができる。したがって、このような給紙装置によると、適切に省電力化を図ることができる。
【００１３】
また、このような画像形成装置によると、適切に省電力化を図ることができる。
【図面の簡単な説明】
【００１４】
【図１】この発明の一実施形態に係る画像形成装置を複合機に適用した場合の複合機の外観を示す概略斜視図である。
【図２】図１に示す複合機の構成を示すブロック図である。
【図３】操作部の構成を示す図である。
【図４】給紙カセットの一部を示す断面図である。
【図５】制御部の構成を示すブロック図である。
【図６】この発明の一実施形態に係る複合機を用いて画像を形成する場合の処理の流れを示すフローチャートである。
【図７】表示画面の一例を示す図である。
【発明を実施するための形態】
【００１５】
以下、この発明の実施の形態を説明する。まず、この発明の一実施形態に係る給紙装置を含む画像形成装置を複合機に適用した場合の複合機の構成について説明する。図１は、この発明の一実施形態に係る給紙装置を含む画像形成装置を複合機に適用した場合の複合機の外観を示す概略図である。図２は、図１に示す複合機の構成を示すブロック図である。
【００１６】
図１および図２を参照して、複合機１１は、制御部１２と、操作部１３と、画像読み取り部１４と、画像形成部１５と、排出トレイ３０と、給紙装置４１と、データを記憶する記憶部としてのハードディスク１６と、ファクシミリ通信部１７と、ネットワーク２５と接続するためのネットワークインターフェース部１８とを含む。制御部１２は、複合機１１全体の制御を行う。操作部１３は、複合機１１側から発信する情報やユーザーの入力内容を表示する表示画面２１を含む。操作部１３は、印刷部数や階調等の画像形成の条件や電源のオンまたはオフをユーザーに入力させる。画像読み取り部１４は、セットされた原稿を自動的に読み取り部へ搬送するＡＤＦ（Ａｕｔｏ  Ｄｏｃｕｍｅｎｔ  Ｆｅｅｄｅｒ）２２を含む。画像読み取り部１４は、原稿の画像を読み取る。画像形成部１５は、読み取った画像データやネットワーク２５を介して送信された画像データを基に画像を形成する。画像形成部１５により画像が形成された用紙は、排出トレイ３０に排出される。給紙装置４１は、画像形成部１５に用紙を供給する。ハードディスク１６は、送信された画像データや入力された画像形成条件等の格納を行う。ファクシミリ通信部１７は、公衆回線２４に接続されており、ファクシミリ送信やファクシミリ受信を行う。なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。
【００１７】
複合機１１は、画像読み取り部１４により読み取られた原稿の画像データを用いて画像形成部１５において画像を形成することにより、複写機として作動する。また、複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。また、複合機１１は、ファクシミリ通信部１７を通じて、公衆回線２４から送信された画像データを用いて、画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。すなわち、複合機１１は、画像処理に関し、複写機能、プリンター機能、ファクシミリ機能等、複数の機能を有する。さらに、各機能に対しても、詳細に設定可能な機能を有する。
【００１８】
複合機１１を含む画像形成システム２７は、複合機１１と、複数のコンピューター２６ａ、２６ｂ、２６ｃとを備える。具体的には、画像形成システム２７は、上記した構成の複合機１１と、ネットワーク２５を介して複合機１１に接続される複数のコンピューター２６ａ、２６ｂ、２６ｃとを備える。
【００１９】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号をユーザーに入力させるテンキー３１と、印刷の開始やファクシミリ送信の開始を指示させるスタートキー３２と、複合機１１の電源のオンまたはオフを入力させる電源キー３３と、複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００２０】
次に、複合機１１に備えられる給紙装置４１の構成について説明する。図４は、この発明の一実施形態に係る複合機１１に備えられる給紙装置４１に含まれる給紙カセット４２の一部を示す断面図である。
【００２１】
図１〜図４を参照して、給紙装置４１は、給紙カセット４２と、本体部４３と、リフト板４４と、ピックアップローラー４５と、一対の給紙ローラー４６ａ、４６ｂと、用紙枚数検知部としての用紙枚数検知センサー３７と、リフトアップ検知部としてのリフトアップ検知センサー３８と、給紙カセット着脱検知部としての給紙カセット着脱検知センサー３９とを備える。
【００２２】
給紙カセット４２は、その内部に複数枚の用紙を収容する。給紙カセット４２は、板状の部材によって構成された枠体４７を含む。本体部４３は、いわゆる筐体であって、本体部４３には、給紙カセット４２がセットされる。リフト板４４は、薄板状であって、給紙カセット４２の内部、具体的には給紙カセット４２の底の部分に設けられている。リフト板４４は、電力の要求により昇降可能であって、その上に供給される用紙が積載される。図４に示す状態は、リフト板４４を上昇させた状態である。具体的には、リフト板４４の一方端部４８ａを回転の中心とし、他方端部４８ｂを矢印Ｒ１で示す方向に持ち上げて、リフト板４４を傾斜させるようにしてリフトアップ、すなわち、上昇させる。一方、他方端部４８ｂを矢印Ｒ１で示す方向と逆の方向に降ろして、リフト板４４を下降させることもできる。
【００２３】
リフト板４４が上昇位置にあるときに、すなわち、図４に示す状態である時、リフト板４４に積載された複数の用紙のうちの最も上に配置される用紙が、リフト板４４の上方側に配置されたピックアップローラー４５と当接する。この場合、リフト板４４に積載された用紙は、ある程度の圧力でピックアップローラー４５によって押圧された状態となる。ピックアップローラー４５により用紙が押圧されている状態において、ピックアップローラー４５、およびピックアップローラー４５に対して用紙の搬送方向の下流側に位置する一対の給紙ローラー４６ａ、４６ｂを回転させることにより、用紙を一枚ずつ画像形成部１５側へ搬送することができる。
【００２４】
用紙枚数検知センサー３７は、リフト板４４上に載置された用紙の枚数を検知する。具体的には、用紙枚数検知センサー３７は、リフト板４４の上昇位置に応じて変化する部材の変位量を測定して、用紙の枚数を検知する。なお、用紙枚数検知センサー３７は、電力を供給されることにより駆動する。すなわち、電力の供給がなければ、用紙枚数検知センサー３７は駆動せず、用紙の枚数を検知できない。
【００２５】
リフトアップ検知センサー３８は、リフト板４４が用紙を供給可能な上昇位置にあるか否かを検知する。図４に示す状態の時には、リフト板４４が上昇位置にあり、リフト板４４上の用紙とピックアップローラー４５とが当接しており、リフトアップ検知センサー３８は、リフト板４４が用紙を供給可能な上昇位置にあるオン状態を検知している。一方、リフト板４４が上昇位置になく、リフト板４４上の用紙とピックアップローラー４５とが当接していない状態の時には、リフトアップ検知センサー３８は、オフを検知する。なお、リフトアップ検知センサー３８についても、電力を供給されることにより駆動する。
【００２６】
給紙カセット着脱検知センサー３９は、給紙カセット４２が本体部４３に装着されているか、または給紙カセット４２が本体部４３から取り出されているかを検知する。給紙カセット着脱検知センサー３９は、給紙カセット４２が本体部４３に装着されている場合にオン状態となり、給紙カセット４２が本体部４３から取り出されている場合にオフ状態となる。
【００２７】
次に、制御部１２の構成について説明する。図５は、制御部１２の構成を示すブロック図である。図１〜図５を参照して、制御部１２は、記憶制御部５１と、電力供給制御部５２と、記憶リセット制御部５３とを備える。記憶制御部５１は、リフトアップ検知センサー３８によりリフト板４４が上昇位置にあることが検知されれば、用紙枚数検知センサー３７に電力を供給してリフト板４４上に載置された用紙の枚数を検知し、検知された用紙の枚数のデータをハードディスク１６に記憶させるよう制御する。電力供給制御部５２は、記憶制御部５１により用紙の枚数のデータがハードディスク１６に記憶されれば、用紙枚数検知センサー３７への電力の供給を停止するよう制御する。記憶リセット制御部５３は、給紙カセット着脱検知センサー３９により本体部４３へ給紙カセット４２が着脱されたことが検知されれば、ハードディスク１６に記憶された用紙の枚数のデータをリセットするよう制御する。また、記憶リセット制御部５３は、給紙カセット４２内の用紙の枚数が減少するジョブが開始されたことを検知すれば、ハードディスク１６に記憶された用紙の枚数のデータをリセットするよう制御する。
【００２８】
次に、複合機１１を用いて、画像を形成する場合について説明する。図６は、ユーザーが複合機１１を用いて、画像を形成する場合の処理の流れを示すフローチャートである。
【００２９】
図１〜図６を参照して、ユーザーは、画像を形成しようとする用紙を給紙カセット４２にセットしようとして、給紙カセット４２を本体部４３から抜き出す。そして、所望の用紙を給紙カセット４２内、具体的には、給紙カセット４２内のリフト板４４の上に載置するようにして収容する。その後、ユーザーにより、給紙カセット４２が本体部４３にセットされる。そうすると、給紙カセット着脱検知センサー３９は、給紙カセット４２が本体部４３に装着されたことを検知する（図６において、ステップＳ１１、以下、「ステップ」を省略する）。
【００３０】
その後、用紙枚数検知センサー３７により用紙の枚数が検知されたか否かを判断する（Ｓ１２）。用紙枚数検知センサー３７により用紙の枚数が検知されたと判断されれば（Ｓ１２において、ＹＥＳ）、リフトアップ検知センサー３８の異常を検知する（Ｓ１３）。これは、リフトアップ検知センサー３８の誤検知により、用紙枚数検知センサー３７に電力が供給され、その結果、用紙の枚数が検知されたことに起因するものである。その後、異常を検知したことを表示画面２１に表示して報知する（Ｓ１４）。ここで、表示画面２１は、リフトアップ検知センサー３８によりリフト板４４が上昇位置にあることが検知される前に、用紙枚数検知センサー３７により用紙の枚数が検知されれば、リフトアップ検知センサー３８の異常を報知する報知部として作動する。
【００３１】
図７は、この場合の表示画面２１の一例を示す図である。図７を参照して、表示画面２１には、「リフトアップ検知センサーが異常です。確認してください。」とのメッセージ６１と、「確認」と表記され、押下により次の表示画面２１へ移行するキー６２とが表示されている。ユーザーは、リフトアップ検知センサー３８の異常の旨を表示画面２１により確認した後、リフトアップ検知センサー３８の異常を解消すべく処理を終了する。
【００３２】
一方、用紙枚数検知センサー３７による用紙の枚数の検知がないと判断されれば（Ｓ１２において、ＮＯ）、リフト板４４をリフトアップさせる（Ｓ１５）。そして、記憶制御部５１は、リフトアップ検知センサー３８により用紙を搬送可能な上昇位置まで上昇させたことを検知すると（Ｓ１６において、ＹＥＳ）、用紙枚数検知センサー３７へ電力を供給する（Ｓ１７）。
【００３３】
用紙枚数検知センサー３７は、電力の供給により、リフト板４４上に載置された用紙の枚数を検知する（Ｓ１８）。この場合、用紙枚数検知センサー３７は、リフト板４４の上昇位置に応じて、用紙の枚数を検知する。
【００３４】
次に、記憶制御部５１は、用紙枚数検知センサー３７により検知された用紙の枚数のデータを、ハードディスク１６に記憶させる（Ｓ１９）。その後、すなわち、ハードディスク１６に用紙の枚数のデータが記憶されれば、電力供給制御部５２は、用紙枚数検知センサー３７への電力の供給を停止する（Ｓ２０）。
【００３５】
その後、給紙カセット着脱検知センサー３９により給紙カセット４２の着脱の検知、または、用紙の枚数が減少するジョブの開始、具体的には、例えば、画像形成部１５による画像形成のジョブの開始が検知されるまで、ハードディスク１６に記憶された用紙の枚数のデータを記憶する。給紙カセット着脱検知センサー３９により給紙カセット４２の着脱の検知、または、用紙の枚数が減少するジョブの開始が検知されれば（Ｓ２１において、ＹＥＳ）、記憶リセット制御部５３は、ハードディスク１６により記憶された用紙の枚数のデータをリセットするよう制御する（Ｓ２２）。そして、再びリフト板４４がリフトアップされる（Ｓ１５）。以降の処理については、同様である。
【００３６】
このような構成の給紙装置４１によると、用紙の枚数が検知された後、ハードディスク１６に用紙の枚数のデータが記憶されるため、用紙枚数検知センサー３７への電力の供給を停止することができる。そうすると、用紙の枚数が減少しない状況において、用紙枚数検知センサー３７へ供給する電力の節減を図ることができる。この場合、ハードディスク１６に用紙の枚数が記憶されているため、ハードディスク１６により記憶された用紙の枚数のデータから、用紙の枚数のデータを取得することができる。また、節減した電力を給紙装置４１、引いては複合機１１の応答速度の向上等の動作に消費する電力に割り当てることができる。したがって、このような給紙装置４１によると、適切に省電力化を図ることができる。
【００３７】
また、このような複合機１１によると、適切に省電力化を図ることができる。
【００３８】
この場合、用紙枚数検知センサー３７は、リフト板４４の上昇位置に応じて変化する部材の変位量を測定して、用紙の枚数を検知するため、より的確に用紙の枚数を検知することができる。
【００３９】
なお、上記の実施の形態においては、給紙装置４１は、複合機１１に備えられるハードディスク１６や制御部１２を用いることとしたが、これに限らず、給紙装置４１自体が、ハードディスク１６や制御部１２等を備える構成としてもよい。なお、用紙の枚数のデータを記憶する記憶部は、他の記憶媒体であってもよい。
【００４０】
また、上記の実施の形態においては、用紙枚数検知センサー３７は、リフト板４４の上昇位置に応じて変化する部材の変位量を測定して、用紙の枚数を検知することとしたが、これに限らず、他の機構、例えば、用紙に光を照射して、透過する光の強度等に基づいて用紙の枚数を検知することとしてもよい。
【００４１】
なお、上記の実施の形態においては、表示画面２１による表示により、リフトアップ検知センサー３８の異常を報知することとしたが、これに限らず、例えば、リフトアップ検知センサー３８の異常を音声により報知することにしてもよい。もちろん、表示画面２１による表示に併せて音声によりリフトアップ検知センサー３８の異常を報知することにしてもよい。
【００４２】
また、上記の実施の形態においては、記憶リセット制御部５３は、給紙カセット着脱検知センサー３９により給紙カセット４２の着脱の検知、または、用紙の枚数が減少するジョブの開始により、ハードディスク１６により記憶された用紙の枚数のデータをリセットするよう制御することとしたが、これに限らず、他のタイミングで、ハードディスク１６により記憶された用紙の枚数のデータをリセットするよう制御することしてもよい。
【００４３】
なお、上記の実施の形態において、記憶された用紙の枚数のデータをリセットする際に、その旨を、例えば、表示画面２１による表示により報知する構成としてもよい。
【００４４】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４５】
この発明に係る給紙装置、および画像形成装置は、適切な省電力化が要求される場合に、特に有効に利用される。
【符号の説明】
【００４６】
１１  複合機、１２  制御部、１３  操作部、１４  画像読み取り部、１５  画像形成部、１６  ハードディスク、１７  ファクシミリ通信部、１８  ネットワークインターフェース部、２１  表示画面、２２  ＡＤＦ、２４  公衆回線、２５  ネットワーク、２６ａ，２６ｂ，２６ｃ  コンピューター、２７  画像形成システム、３０  排出トレイ、３１  テンキー、３２  スタートキー、３３  電源キー、３４  メニューキー、３５  登録キー、３６  リセットキー、３７  用紙枚数検知センサー、３８  リフトアップ検知センサー、３９  給紙カセット着脱検知センサー、４１  給紙装置、４２  給紙カセット、４３  本体部、４４  リフト板、４５  ピックアップローラー、４６ａ，４６ｂ  給紙ローラー、４７  枠体、４８ａ，４８ｂ  端部、５１  記憶制御部、５２  電力供給制御部、５３  記憶リセット制御部、６１  メッセージ、６２  キー。
【図１】
2017149571.tif 000003
【図２】
2017149571.tif 000004
【図３】
2017149571.tif 000005
【図４】
2017149571.tif 000006
【図５】
2017149571.tif 000007
【図６】
2017149571.tif 000008
【図７】
2017149571.tif 000009